【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
モバイルデバイスによってホスティングされるナビゲーションアプリケーションによって生成される情報に少なくとも部分的に基づいて、前記モバイルデバイスの期待されるルートを判定することと、
前記モバイルデバイスの前記期待されるルートに少なくとも部分的に基づいて判定されるワイヤレス送信機のサブセットのアイデンティティ情報または位置情報の要求を備える１つまたは複数のメッセージを前記モバイルデバイスの通信インターフェースからネットワークエンティティに送信すること、ここにおいてアイデンティティ情報または位置情報の前記要求は、前記モバイルデバイスの前記期待されるルートを示す情報を含む、を送信することと、
前記モバイルデバイスの前記期待されるルートに少なくとも部分的に基づいて前記ネットワークエンティティによって判定される、ワイヤレス送信機の前記サブセットのアイデンティティ情報または位置情報を備える１つまたは複数のメッセージを、前記モバイルデバイスの前記通信インターフェースで前記ネットワークエンティティから受信することと、
前記期待されるルートに沿って配置されたワイヤレス送信機を使用して実行されるナビゲーション動作を可能にするのに十分なワイヤレス送信機のサブセットのアイデンティティ情報または位置情報を備える１つまたは複数のメッセージを前記ネットワークエンティティから受信することに少なくとも部分的に応答して、前記モバイルデバイス内の衛星測位システムの機能から電力を除去することと
を備える方法。
【請求項２】
前記ネットワークエンティティによって判定されるワイヤレス送信機の前記サブセットの前記アイデンティティ情報または位置情報を示す１つまたは複数の信号を前記モバイルデバイスのメモリ内に格納することをさらに備える、請求項１に記載の方法。
【請求項３】
ワイヤレス送信機の前記サブセットのアイデンティティ情報または位置情報を備える１つまたは複数のメッセージを前記モバイルデバイスの前記通信インターフェースで前記ネットワークエンティティから前記受信することは、指定された最大送信サイズに収まるアイデンティティエントリまたは位置エントリを備える１つまたは複数のメッセージを受信することを備える、請求項１に記載の方法。
【請求項４】
ワイヤレスアクセスポイントのサブセットのアイデンティティ情報または位置情報を備える１つまたは複数のメッセージを前記モバイルデバイスの前記通信インターフェースで前記ネットワークエンティティから前記受信することは、個々のワイヤレス送信機に関する前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレスアクセスポイントの前記サブセットに関するアイデンティティ情報または位置情報を備える１つまたは複数のメッセージを受信することを備える、請求項１に記載の方法。
【請求項５】
ワイヤレス送信機の前記サブセットのアイデンティティ情報または位置情報を備える１つまたは複数のメッセージを前記モバイルデバイスの前記通信インターフェースで前記ネットワークエンティティから前記受信することは、前記モバイルデバイスの前記期待されるルートへの個々のワイヤレス送信機の近接度に少なくとも部分的に基づいて前記ネットワークエンティティによって判定されるワイヤレス送信機の前記サブセットのアイデンティティ情報または位置情報を備える１つまたは複数のメッセージを受信することを備える、請求項１に記載の方法。
【請求項６】
ワイヤレス送信機の前記サブセットのアイデンティティ情報または位置情報を備える１つまたは複数のメッセージを前記モバイルデバイスの前記通信インターフェースで前記ネットワークエンティティから前記受信することは、個々のワイヤレス送信機に関連する１つまたは複数のネットワークと前記モバイルデバイスが通信するための１つまたは複数の認可に少なくとも部分的に基づいて前記ネットワークエンティティによって判定されるワイヤレス送信機の前記サブセットのアイデンティティ情報または位置情報を備える１つまたは複数のメッセージを受信することを備える、請求項１に記載の方法。
【請求項７】
ワイヤレス送信機の前記サブセットのアイデンティティ情報または位置情報を備える１つまたは複数のメッセージを前記モバイルデバイスの前記通信インターフェースで前記ネットワークエンティティから前記受信することは、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットのアイデンティティ情報または位置情報を備える１つまたは複数のメッセージを受信することを備える、請求項１に記載の方法。
【請求項８】
減少した通信カバレージを有すると判定される前記モバイルデバイスの前記期待されるルートに沿った１つまたは複数の領域に対応する地図情報を受信することをさらに備える、請求項１に記載の方法。
【請求項９】
減少した通信カバレージを有すると判定される前記モバイルデバイスの前記期待されるルートに沿った前記１つまたは複数の領域に対応する地図情報を前記受信することは、前記モバイルデバイスがネットワーク通信リソースのレンジ内にある間に、限られた通信カバレージを有すると判定される前記１つまたは複数の領域に前記モバイルデバイスが入る前に、地図情報を備える前記１つまたは複数のメッセージを受信することを備える、請求項８に記載の方法。
【請求項１０】
前記モバイルデバイスが相対的に強い信号をそこから獲得でき、前記モバイルデバイスがそれとの通信を確立できる１つまたは複数のワイヤレス送信機のアイデンティティ情報または位置情報を備える１つまたは複数のメッセージを、前記モバイルデバイスの前記通信インターフェースで前記ネットワークエンティティから受信することと、
前記モバイルデバイスが前記期待されるルートに沿って移動する時に前記モバイルデバイスが前記１つまたは複数のワイヤレス送信機の個々のワイヤレス送信機のカバレージエリアに接近することに応答して、前記個々のワイヤレス送信機との通信を確立することと
をさらに備える、請求項１に記載の方法。
【請求項１１】
ワイヤレス送信機の前記サブセットのアイデンティティ情報または位置情報を備える１つまたは複数のメッセージを前記モバイルデバイスの前記通信インターフェースで前記ネットワークエンティティから前記受信することは、１つまたは複数の領域に従って分割されたアイデンティティ情報または位置情報を備える１つまたは複数のメッセージを受信することを備え、ここにおいて、前記１つまたは複数の領域は、複数のチャンクに個別に分割される、請求項１に記載の方法。
【請求項１２】
前記１つまたは複数の領域は円形の区域を備え、ここにおいて、前記複数のチャンクは、１つまたは複数のパイスライス区域と円形の中心区域とを備える、請求項１１に記載の方法。
【請求項１３】
前記１つまたは複数の領域に従って分割されたワイヤレス送信機の前記サブセットのアイデンティティ情報または位置情報の前記要求を備える前記１つまたは複数のメッセージを前記送信することは、前記期待されるルートによって横切られる前記１つまたは複数の領域の前記複数のチャンクのうちの１つまたは複数を判定することをさらに備える、請求項１２に記載の方法。
【請求項１４】
前記期待されるルートを複数のセグメントに分割するために前記期待されるルートに沿った１つまたは複数のチェックポイントを判定することをさらに備え、前記モバイルデバイスは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信する、請求項１３に記載の方法。
【請求項１５】
前記期待されるルートに沿って配置された１つまたは複数のワイヤレス送信機から１つまたは複数の暗号化されたブロードキャスト信号を受信することをさらに備える、請求項１に記載の方法。
【請求項１６】
ワイヤレス送信機の前記サブセットは、ワイヤレスローカルエリアネットワークのアクセスポイントのサブセットとワイヤレス広域ネットワーク送信機のサブセットとのうちの１つまたは複数を備える、請求項１に記載の方法。
【請求項１７】
非一時的な記憶媒体を備え、前記記憶媒体は、
モバイルデバイスによってホスティングされるナビゲーションアプリケーションによって生成される情報に少なくとも部分的に基づいて、前記モバイルデバイスの期待されるルートを判定し、
前記モバイルデバイスの前記期待されるルートに少なくとも部分的に基づいて判定されるワイヤレス送信機のサブセットのアイデンティティ情報または位置情報の要求を備える１つまたは複数のメッセージの、前記モバイルデバイスからネットワークエンティティへの送信を開始し、
前記モバイルデバイスの前記期待されるルートに少なくとも部分的に基づいて前記ネットワークエンティティによって判定され、ワイヤレス送信機の前記サブセットの、前記モバイルデバイスにおいて受信されたアイデンティティ情報または位置情報を取得し、
前記期待されるルートに沿って配置されたワイヤレス送信機を使用して実行されるナビゲーション動作を可能にするのに十分なワイヤレス送信機のサブセットのアイデンティティ情報または位置情報を備える１つまたは複数のメッセージを前記ネットワークエンティティから受信することに少なくとも部分的に応答して、前記モバイルデバイス内の衛星測位システムの機能から電力を除去する
ために前記モバイルデバイスのプロセッサによって実行可能な１つまたは複数の命令を格納し、ここにおいて、アイデンティティ情報または位置情報の前記要求は、前記モバイルデバイスの前記期待されるルートを示す情報を含む、物品。
【請求項１８】
前記記憶媒体は、前記モバイルデバイスの前記期待されるルートに少なくとも部分的に基づいて前記ネットワークエンティティによって判定されるワイヤレス送信機の前記サブセットのアイデンティティ情報または位置情報を備える１つまたは複数のメッセージを格納するために前記モバイルデバイスの前記プロセッサによって実行可能なさらなる命令を格納する、請求項１７に記載の物品。
【請求項１９】
前記記憶媒体は、少なくとも部分的に、指定された最大送信サイズに収まるアイデンティティエントリまたは位置エントリを備える１つまたは複数のメッセージを取得することによって、ワイヤレス送信機の前記サブセットの、前記モバイルデバイスにおいて受信された前記アイデンティティ情報または位置情報を取得するために前記モバイルデバイスの前記プロセッサによって実行可能なさらなる命令を格納する、請求項１７に記載の物品。
【請求項２０】
前記記憶媒体は、少なくとも部分的に、個々のワイヤレス送信機の前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレス送信機の前記サブセットの前記アイデンティティ情報または位置情報を取得することによって、ワイヤレス送信機の前記サブセットの前記アイデンティティ情報または位置情報を取得するために前記モバイルデバイスの前記プロセッサによって実行可能なさらなる命令を格納する、請求項１７に記載の物品。
【請求項２１】
前記記憶媒体は、少なくとも部分的に、前記モバイルデバイスの前記期待されるルートへの個々のワイヤレス送信機の近接度に少なくとも部分的に基づいて前記ネットワークエンティティによって判定されるワイヤレス送信機の前記サブセットの前記アイデンティティ情報または位置情報を取得することによって、ワイヤレス送信機の前記サブセットの前記アイデンティティ情報または位置情報を取得するために前記モバイルデバイスの前記プロセッサによって実行可能なさらなる命令を格納する、請求項１７に記載の物品。
【請求項２２】
前記記憶媒体は、少なくとも部分的に、前記モバイルデバイスが個々のワイヤレス送信機に関連する１つまたは複数のネットワークと通信するための１つまたは複数の認可に少なくとも部分的に基づいて前記ネットワークエンティティによって判定されるワイヤレス送信機の前記サブセットの前記アイデンティティ情報または位置情報を取得することによって、ワイヤレス送信機の前記サブセットの前記アイデンティティ情報または位置情報を取得するために前記モバイルデバイスの前記プロセッサによって実行可能なさらなる命令を格納する、請求項１７に記載の物品。
【請求項２３】
前記記憶媒体は、少なくとも部分的に、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットの前記アイデンティティ情報または位置情報を取得することによって、ワイヤレス送信機の前記サブセットの前記アイデンティティ情報または位置情報を取得するために前記モバイルデバイスの前記プロセッサによって実行可能なさらなる命令を格納する、請求項１７に記載の物品。
【請求項２４】
前記記憶媒体は、限られた通信カバレージを有すると判定される前記モバイルデバイスの前記期待されるルートに沿った１つまたは複数の領域に対応する地図情報の受信を開始するために前記モバイルデバイスの前記プロセッサによって実行可能なさらなる命令を格納する、請求項１７に記載の物品。
【請求項２５】
前記記憶媒体は、少なくとも部分的に、前記モバイルデバイスがネットワーク通信リソースのレンジ内にある間に、限られた通信カバレージを有すると判定される前記１つまたは複数の領域に前記モバイルデバイスが入る前に地図情報の前記受信を開始することによって、限られた通信カバレージを有すると判定される前記モバイルデバイスの前記期待されるルートに沿った前記１つまたは複数の領域に対応する地図情報の前記受信を開始するために前記モバイルデバイスの前記プロセッサによって実行可能なさらなる命令を格納する、請求項２４に記載の物品。
【請求項２６】
前記記憶媒体は、
前記モバイルデバイスが相対的に強い信号をそこから獲得でき、前記モバイルデバイスがそれとの通信を確立できる１つまたは複数のワイヤレス送信機のアイデンティティ情報または位置情報を前記ネットワークエンティティから取得し、
前記モバイルデバイスが前記期待されるルートに沿って移動する時に前記モバイルデバイスが前記１つまたは複数のワイヤレス送信機の個々のワイヤレス送信機のカバレージエリアに接近することに応答して前記個々のワイヤレス送信機との通信を確立する
ために前記モバイルデバイスの前記プロセッサによって実行可能なさらなる命令を格納する、請求項１７に記載の物品。
【請求項２７】
前記記憶媒体は、少なくとも部分的に、１つまたは複数の領域に従って分割されたワイヤレス送信機の前記サブセットのアイデンティティ情報または位置情報の前記要求の送信を開始することによって、前記ネットワークエンティティへの１つまたは複数のメッセージの前記送信を開始するために前記モバイルデバイスの前記プロセッサによって実行可能なさらなる命令を格納し、ここにおいて、前記１つまたは複数の領域は、複数のチャンクに個別に分割される、請求項１７に記載の物品。
【請求項２８】
前記１つまたは複数の領域は円形の区域を備え、ここにおいて、前記複数のチャンクは、１つまたは複数のパイスライス区域と円形の中心区域とを備える、請求項２７に記載の物品。
【請求項２９】
前記記憶媒体は、少なくとも部分的に、前記期待されるルートによって横切られる前記１つまたは複数の領域の前記複数のチャンクのうちの１つまたは複数を判定することによって、前記１つまたは複数の領域に従って分割されたワイヤレス送信機の前記サブセットのアイデンティティ情報または位置情報の前記要求を備える１つまたは複数のメッセージの前記送信を開始するために前記モバイルデバイスの前記プロセッサによって実行可能なさらなる命令を格納する、請求項２８に記載の物品。
【請求項３０】
前記記憶媒体は、前記期待されるルートに沿った１つまたは複数のチェックポイントを判定するために前記モバイルデバイスの前記プロセッサによって実行可能なさらなる命令を格納し、前記１つまたは複数のチェックポイントは、前記期待されるルートを複数のセグメントに分割し、前記１つまたは複数のチェックポイントは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信するように前記モバイルデバイスに指示する、請求項２９に記載の物品。
【請求項３１】
前記記憶媒体は、前記期待されるルートに沿って配置された１つまたは複数のワイヤレス送信機からの１つまたは複数の暗号化されたブロードキャスト信号の受信を開始するために前記モバイルデバイスの前記プロセッサによって実行可能なさらなる命令を格納する、請求項１７に記載の物品。
【請求項３２】
モバイルデバイスによってホスティングされるナビゲーションアプリケーションによって生成された情報に少なくとも部分的に基づいて、前記モバイルデバイスの期待されるルートを判定し、
前記モバイルデバイスの通信インターフェースからネットワークエンティティへの１つまたは複数のメッセージの送信を開始し、ここにおいて、前記１つまたは複数のメッセージは、前記モバイルデバイスの前記期待されるルートに少なくとも部分的に基づいて判定されるワイヤレス送信機のサブセットのアイデンティティ情報または位置情報の要求を備え、アイデンティティ情報または位置情報の前記要求は、前記モバイルデバイスの前記期待されるルートを示す情報を含む、
前記モバイルデバイスの前記期待されるルートに少なくとも部分的に基づいて前記ネットワークエンティティによって判定され、前記ネットワークエンティティから受信された、ワイヤレス送信機の前記サブセットのアイデンティティ情報または位置情報を備える１つまたは複数のメッセージを取得し、
前記期待されるルートに沿って配置されたワイヤレス送信機を使用して実行されるナビゲーション動作を可能にするのに十分なワイヤレス送信機のサブセットのアイデンティティ情報または位置情報を受信することに少なくとも部分的に応答して、前記モバイルデバイス内の衛星測位システムの機能から電力を除去する
プロセッサを備える、モバイルデバイス。
【請求項３３】
前記ネットワークエンティティによって判定されるワイヤレス送信機の前記サブセットの前記アイデンティティ情報または位置情報を示す１つまたは複数の信号を格納するメモリをさらに備える、請求項３２に記載のモバイルデバイス。
【請求項３４】
前記プロセッサは、少なくとも部分的に、指定された最大送信サイズに収まるアイデンティティエントリまたは位置エントリを備える、前記ネットワークエンティティから受信された１つまたは複数のメッセージを取得することによって、ワイヤレス送信機の前記サブセットのアイデンティティ情報または位置情報を備える、前記ネットワークエンティティから受信された１つまたは複数のメッセージを取得する、請求項３２に記載のモバイルデバイス。
【請求項３５】
前記プロセッサは、少なくとも部分的に、個々のワイヤレス送信機に関する前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレス送信機の前記サブセットに関するアイデンティティ情報または位置情報を備える１つまたは複数のメッセージを取得することによって、ワイヤレス送信機の前記サブセットのアイデンティティ情報または位置情報を備える、前記ネットワークエンティティから受信された１つまたは複数のメッセージを取得する、請求項３２に記載のモバイルデバイス。
【請求項３６】
前記プロセッサは、少なくとも部分的に、前記モバイルデバイスの前記期待されるルートへの個々のワイヤレス送信機の近接度に少なくとも部分的に基づいて前記ネットワークエンティティによって判定されるワイヤレス送信機の前記サブセットのアイデンティティ情報または位置情報を備える１つまたは複数のメッセージを取得することによって、ワイヤレス送信機の前記サブセットのアイデンティティ情報または位置情報を備える、前記ネットワークエンティティから受信された１つまたは複数のメッセージを取得する、請求項３２に記載のモバイルデバイス。
【請求項３７】
前記プロセッサは、少なくとも部分的に、個々のワイヤレス送信機に関連する１つまたは複数のネットワークと前記モバイルデバイスが通信するための１つまたは複数の認可に少なくとも部分的に基づいて前記ネットワークエンティティによって判定されるワイヤレス送信機の前記サブセットのアイデンティティ情報または位置情報を備える１つまたは複数のメッセージを取得することによって、ワイヤレス送信機の前記サブセットのアイデンティティ情報または位置情報を備える、前記ネットワークエンティティから受信された１つまたは複数のメッセージを取得する、請求項３２に記載のモバイルデバイス。
【請求項３８】
前記プロセッサは、少なくとも部分的に、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットのアイデンティティ情報または位置情報を備える１つまたは複数のメッセージを取得することによって、ワイヤレス送信機の前記サブセットのアイデンティティ情報または位置情報を備える、前記ネットワークエンティティから受信された１つまたは複数のメッセージを取得する、請求項３２に記載のモバイルデバイス。
【請求項３９】
前記プロセッサは、減少した通信カバレージを有すると判定される前記モバイルデバイスの前記期待されるルートに沿った１つまたは複数の領域に対応する地図情報の受信をさらに開始する、請求項３２に記載のモバイルデバイス。
【請求項４０】
前記プロセッサは、少なくとも部分的に、前記モバイルデバイスがネットワーク通信リソースのレンジ内にある間に、減少した通信カバレージを有すると判定される前記１つまたは複数の領域に前記モバイルデバイスが入る前に、地図情報を備える前記１つまたは複数のメッセージを受信することによって、減少した通信カバレージを有すると判定される前記モバイルデバイスの前記期待されるルートに沿った前記１つまたは複数の領域に対応する地図情報の受信をさらに開始する、請求項３９に記載のモバイルデバイス。
【請求項４１】
前記プロセッサは、さらに、
前記モバイルデバイスが相対的に強い信号をそこから獲得でき、前記モバイルデバイスがそれとの通信を確立できる１つまたは複数のワイヤレス送信機のアイデンティティ情報または位置情報を備える１つまたは複数のメッセージを、前記モバイルデバイスの前記通信インターフェースで前記ネットワークエンティティから受信することを開始し、
前記モバイルデバイスが前記期待されるルートに沿って移動する時に前記モバイルデバイスが前記１つまたは複数のワイヤレス送信機の個々のワイヤレス送信機のカバレージエリアに接近することに応答して、前記個々のワイヤレス送信機との通信を確立する
請求項３２に記載のモバイルデバイス。
【請求項４２】
前記プロセッサは、少なくとも部分的に、１つまたは複数の領域に従って分割されたワイヤレス送信機の前記サブセットのアイデンティティ情報または位置情報の前記要求を備える１つまたは複数のメッセージの送信を開始することによって、ワイヤレス送信機の前記サブセットのアイデンティティ情報または位置情報の前記要求を備える１つまたは複数のメッセージの前記送信を開始し、ここにおいて、前記１つまたは複数の領域は、複数のチャンクに個別に分割される、請求項３２に記載のモバイルデバイス。
【請求項４３】
前記１つまたは複数の領域は円形の区域を備え、ここにおいて、前記複数のチャンクは、１つまたは複数のパイスライス区域と円形の中心区域とを備える、請求項４２に記載のモバイルデバイス。
【請求項４４】
前記プロセッサは、少なくとも部分的に、前記期待されるルートによって横切られる前記１つまたは複数の領域の前記複数のチャンクのうちの１つまたは複数を判定することによって、前記１つまたは複数の領域に従って分割されたワイヤレス送信機の前記サブセットのアイデンティティ情報または位置情報の前記要求を備える前記１つまたは複数のメッセージの送信を開始する、請求項４３に記載のモバイルデバイス。
【請求項４５】
前記プロセッサは、さらに、前記期待されるルートに沿った１つまたは複数のチェックポイントを判定し、前記１つまたは複数のチェックポイントは、前記期待されるルートを複数のセグメントに分割し、前記１つまたは複数のチェックポイントは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信するように前記モバイルデバイスに指示する、請求項４４に記載のモバイルデバイス。
【請求項４６】
前記プロセッサは、さらに、前記期待されるルートに沿って配置された１つまたは複数のワイヤレス送信機からの１つまたは複数の暗号化されたブロードキャスト信号の受信を開始する、請求項３２に記載のモバイルデバイス。
【請求項４７】
モバイルデバイスによってホスティングされるナビゲーションアプリケーションによって生成された情報に少なくとも部分的に基づいて、前記モバイルデバイスの期待されるルートを判定するための手段と、
１つまたは複数のメッセージをネットワークエンティティに送信するための手段であって、ここにおいて、前記１つまたは複数のメッセージは、前記モバイルデバイスの前記期待されるルートに少なくとも部分的に基づいて判定されるワイヤレス送信機のサブセットのアイデンティティ情報または位置情報の要求を備え、ここにおいて、アイデンティティ情報または位置情報の前記要求は、前記モバイルデバイスの前記期待されるルートを示す情報を含む、送信するための手段と、
前記モバイルデバイスの前記期待されるルートに少なくとも部分的に基づいて前記ネットワークエンティティによって判定される、ワイヤレス送信機の前記サブセットのアイデンティティ情報または位置情報を備える１つまたは複数のメッセージを前記ネットワークエンティティから受信するための手段と、
前記期待されるルートに沿って配置されたワイヤレス送信機を使用して実行されるナビゲーション動作を可能にするのに十分なワイヤレス送信機のサブセットのアイデンティティ情報または位置情報を備える１つまたは複数のメッセージを前記ネットワークエンティティから受信することに少なくとも部分的に応答して、前記モバイルデバイス内の衛星測位システムの機能から電力を除去するための手段と
を備える装置。
【請求項４８】
前記ネットワークエンティティによって判定されるワイヤレス送信機の前記サブセットの前記アイデンティティ情報または位置情報を示す１つまたは複数の信号を格納するための手段をさらに備える、請求項４７に記載の装置。
【請求項４９】
ワイヤレス送信機の前記サブセットのアイデンティティ情報または位置情報を備える前記１つまたは複数のメッセージを前記ネットワークエンティティから受信するための前記手段は、指定された最大送信サイズに収まるアイデンティティエントリまたは位置エントリを備える１つまたは複数のメッセージを受信するための手段を備える、請求項４７に記載の装置。
【請求項５０】
ワイヤレス送信機の前記サブセットのアイデンティティ情報または位置情報を備える１つまたは複数のメッセージを前記ネットワークエンティティから受信するための前記手段は、個々のワイヤレス送信機に関する前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレス送信機の前記サブセットに関するアイデンティティ情報または位置情報を備える１つまたは複数のメッセージを受信するための手段を備える、請求項４７に記載の装置。
【請求項５１】
ワイヤレス送信機の前記サブセットのアイデンティティ情報または位置情報を備える前記１つまたは複数のメッセージを前記ネットワークエンティティから受信するための前記手段は、前記モバイルデバイスの前記期待されるルートへの個々のワイヤレス送信機の近接度に少なくとも部分的に基づいて前記ネットワークエンティティによって判定されるワイヤレス送信機の前記サブセットのアイデンティティ情報または位置情報を備える１つまたは複数のメッセージを受信するための手段を備える、請求項４７に記載の装置。
【請求項５２】
ワイヤレス送信機の前記サブセットのアイデンティティ情報または位置情報を備える１つまたは複数のメッセージを前記ネットワークエンティティから受信するための前記手段は、個々のワイヤレス送信機に関連する１つまたは複数のネットワークと前記モバイルデバイスが通信するための１つまたは複数の認可に少なくとも部分的に基づいて前記ネットワークエンティティによって判定されるワイヤレス送信機の前記サブセットのアイデンティティ情報または位置情報を備える１つまたは複数のメッセージを受信するための手段を備える、請求項４７に記載の装置。
【請求項５３】
ワイヤレス送信機の前記サブセットのアイデンティティ情報または位置情報を備える１つまたは複数のメッセージを前記ネットワークエンティティから受信するための前記手段は、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットのアイデンティティ情報または位置情報を備える１つまたは複数のメッセージを受信するための手段を備える、請求項４７に記載の装置。
【請求項５４】
減少した通信カバレージを有すると判定される前記モバイルデバイスの前記期待されるルートに沿った１つまたは複数の領域に対応する地図情報を備える１つまたは複数のメッセージを受信するための手段をさらに備える、請求項４７に記載の装置。
【請求項５５】
限られた通信カバレージを有すると判定される前記モバイルデバイスの前記期待されるルートに沿った前記１つまたは複数の領域に対応する地図情報を受信するための前記手段は、前記モバイルデバイスがネットワーク通信リソースのレンジ内にある間に、減少した通信カバレージを有すると判定される前記１つまたは複数の領域に前記モバイルデバイスが入る前に地図情報を受信するための手段を備える、請求項５４に記載の装置。
【請求項５６】
前記モバイルデバイスが相対的に強い信号をそこから獲得でき、前記モバイルデバイスがそれとの通信を確立できる１つまたは複数のワイヤレス送信機のアイデンティティ情報または位置情報を備える１つまたは複数のメッセージを、前記モバイルデバイスの通信インターフェースで前記ネットワークエンティティから受信するための手段と、
前記モバイルデバイスが前記期待されるルートに沿って移動する時に前記モバイルデバイスが前記１つまたは複数のワイヤレス送信機の個々のワイヤレス送信機のカバレージエリアに接近することに応答して、前記個々のワイヤレス送信機との通信を確立するための手段と
をさらに備える、請求項４７に記載の装置。
【請求項５７】
前記ネットワークエンティティに前記１つまたは複数のメッセージを送信するための前記手段は、１つまたは複数の領域に従って分割されたワイヤレス送信機の前記サブセットのアイデンティティ情報または位置情報の前記要求を送信するための手段を備え、ここにおいて、前記１つまたは複数の領域は、複数のチャンクに個別に分割される、請求項４７に記載の装置。
【請求項５８】
前記１つまたは複数の領域は円形の区域を備え、ここにおいて、前記複数のチャンクは、１つまたは複数のパイスライス区域と円形の中心区域とを備える、請求項５７に記載の装置。
【請求項５９】
前記１つまたは複数の領域に従って分割されたワイヤレス送信機の前記サブセットのアイデンティティ情報または位置情報の前記要求を備える前記１つまたは複数のメッセージを送信するための前記手段は、前記期待されるルートによって横切られる前記１つまたは複数の領域の前記複数のチャンクのうちの１つまたは複数を判定するための手段をさらに備える、請求項５８に記載の装置。
【請求項６０】
前記期待されるルートに沿った１つまたは複数のチェックポイントを判定するための手段をさらに備え、判定される１つまたは複数のチェックポイントは、前記期待されるルートを複数のセグメントに分割し、前記判定される１つまたは複数のチェックポイントは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信するように前記モバイルデバイスに指示する、請求項５９に記載の装置。
【請求項６１】
前記期待されるルートに沿って配置された１つまたは複数のワイヤレス送信機から１つまたは複数の暗号化されたブロードキャスト信号を受信するための手段をさらに備える、請求項４７に記載の装置。
【手続補正２】
【補正対象書類名】明細書
【補正対象項目名】００７５
【補正方法】変更
【補正の内容】
【００７５】
現在例の特徴と思われるものを図示し、説明したが、当業者は、請求される主題から逸脱せずに、さまざまな他の変更を行うことができ、同等物を置換できることを理解するであろう。さらに、多数の変更を、本明細書で説明される中心概念から逸脱せずに、特定の状況を請求される主題の教示に適合させるために行うことができる。したがって、請求される主題が、開示される特定の例に限定されるのではなく、そのような請求される主題が、添付の特許請求の範囲およびその同等物の範囲に含まれるすべての態様をも含むことが意図されている。
以下に、本願出願の当初の特許請求の範囲に記載された発明を付記する。
［Ｃ１］
モバイルデバイスによってホスティングされるナビゲーションアプリケーションによって生成される情報に少なくとも部分的に基づいて、前記モバイルデバイスの期待されるルートを判定することと、
前記モバイルデバイスの前記期待されるルートに少なくとも部分的に基づいて判定されるワイヤレス送信機のサブセットのアイデンティティ情報または位置情報の要求を備える１つまたは複数のメッセージを前記モバイルデバイスの通信インターフェースからネットワークエンティティに送信すること、ここにおいてアイデンティティ情報または位置情報の前記要求は、前記モバイルデバイスの前記期待されるルートを示す情報を含む、を送信することと
を備える方法。
［Ｃ２］
前記モバイルデバイスの前記期待されるルートに少なくとも部分的に基づいて、前記ネットワークエンティティによって判定されるワイヤレス送信機の前記サブセットのアイデンティティ情報または位置情報を備える１つまたは複数のメッセージを、前記モバイルデバイスの前記通信インターフェースで前記ネットワークエンティティから受信すること
をさらに備える、Ｃ１に記載の方法。
［Ｃ３］
前記ネットワークエンティティによって判定されるワイヤレス送信機の前記サブセットの前記アイデンティティ情報または位置情報を示す１つまたは複数の信号を前記モバイルデバイスのメモリ内に格納することをさらに備える、Ｃ２に記載の方法。
［Ｃ４］
ワイヤレス送信機の前記サブセットのアイデンティティ情報または位置情報を備える１つまたは複数のメッセージを前記モバイルデバイスの前記通信インターフェースで前記ネットワークエンティティから前記受信することは、指定された最大送信サイズに収まるアイデンティティエントリまたは位置エントリを備える１つまたは複数のメッセージを受信することを備える、Ｃ２に記載の方法。
［Ｃ５］
ワイヤレスアクセスポイントのサブセットのアイデンティティ情報または位置情報を備える１つまたは複数のメッセージを前記モバイルデバイスの前記通信インターフェースで前記ネットワークエンティティから前記受信することは、個々のワイヤレス送信機に関する前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレスアクセスポイントの前記サブセットに関するアイデンティティ情報または位置情報を備える１つまたは複数のメッセージを受信することを備える、Ｃ２に記載の方法。
［Ｃ６］
ワイヤレス送信機の前記サブセットのアイデンティティ情報または位置情報を備える１つまたは複数のメッセージを前記モバイルデバイスの前記通信インターフェースで前記ネットワークエンティティから前記受信することは、前記モバイルデバイスの前記期待されるルートへの個々のワイヤレス送信機の近接度に少なくとも部分的に基づいて前記ネットワークエンティティによって判定されるワイヤレス送信機の前記サブセットのアイデンティティ情報または位置情報を備える１つまたは複数のメッセージを受信することを備える、Ｃ２に記載の方法。
［Ｃ７］
ワイヤレス送信機の前記サブセットのアイデンティティ情報または位置情報を備える１つまたは複数のメッセージを前記モバイルデバイスの前記通信インターフェースで前記ネットワークエンティティから前記受信することは、個々のワイヤレス送信機に関連する１つまたは複数のネットワークと前記モバイルデバイスが通信するための１つまたは複数の認可に少なくとも部分的に基づいて前記ネットワークエンティティによって判定されるワイヤレス送信機の前記サブセットのアイデンティティ情報または位置情報を備える１つまたは複数のメッセージを受信することを備える、Ｃ２に記載の方法。
［Ｃ８］
ワイヤレス送信機の前記サブセットのアイデンティティ情報または位置情報を備える１つまたは複数のメッセージを前記モバイルデバイスの前記通信インターフェースで前記ネットワークエンティティから前記受信することは、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットのアイデンティティ情報または位置情報を備える１つまたは複数のメッセージを受信することを備える、Ｃ２に記載の方法。
［Ｃ９］
減少した通信カバレージを有すると判定される前記モバイルデバイスの前記期待されるルートに沿った１つまたは複数の領域に対応する地図情報を受信することをさらに備える、Ｃ２に記載の方法。
［Ｃ１０］
減少した通信カバレージを有すると判定される前記モバイルデバイスの前記期待されるルートに沿った前記１つまたは複数の領域に対応する地図情報を前記受信することは、前記モバイルデバイスがネットワーク通信リソースのレンジ内にある間に、限られた通信カバレージを有すると判定される前記１つまたは複数の領域に前記モバイルデバイスが入る前に、地図情報を備える前記１つまたは複数のメッセージを受信することを備える、Ｃ９に記載の方法。
［Ｃ１１］
前記モバイルデバイスが相対的に強い信号をそこから獲得でき、前記モバイルデバイスがそれとの通信を確立できる１つまたは複数のワイヤレス送信機のアイデンティティ情報または位置情報を備える１つまたは複数のメッセージを、前記モバイルデバイスの前記通信インターフェースで前記ネットワークエンティティから受信することと、
前記モバイルデバイスが前記期待されるルートに沿って移動する時に前記モバイルデバイスが前記１つまたは複数のワイヤレス送信機の個々のワイヤレス送信機のカバレージエリアに接近することに応答して、前記個々のワイヤレス送信機との通信を確立することと
をさらに備える、Ｃ１に記載の方法。
［Ｃ１２］
ワイヤレス送信機の前記サブセットのアイデンティティ情報または位置情報を備える１つまたは複数のメッセージを前記モバイルデバイスの前記通信インターフェースで前記ネットワークエンティティから前記受信することは、１つまたは複数の領域に従って分割されたアイデンティティ情報または位置情報を備える１つまたは複数のメッセージを受信することを備え、ここにおいて、前記１つまたは複数の領域は、複数のチャンクに個別に分割される、Ｃ２に記載の方法。
［Ｃ１３］
前記１つまたは複数の領域は円形の区域を備え、ここにおいて、前記複数のチャンクは、１つまたは複数のパイスライス区域と円形の中心区域とを備える、Ｃ１２に記載の方法。
［Ｃ１４］
前記１つまたは複数の領域に従って分割されたワイヤレス送信機の前記サブセットのアイデンティティ情報または位置情報の前記要求を備える前記１つまたは複数のメッセージを前記送信することは、前記期待されるルートによって横切られる前記１つまたは複数の領域の前記複数のチャンクのうちの１つまたは複数を判定することをさらに備える、Ｃ１３に記載の方法。
［Ｃ１５］
前記期待されるルートを複数のセグメントに分割するために前記期待されるルートに沿った１つまたは複数のチェックポイントを判定することをさらに備え、前記モバイルデバイスは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信する、Ｃ１４に記載の方法。
［Ｃ１６］
前記期待されるルートに沿って配置されたワイヤレス送信機を使用してナビゲーション動作を実行することを可能にするのに十分なワイヤレス送信機のサブセットのアイデンティティ情報または位置情報を備える１つまたは複数のメッセージを前記ネットワークエンティティから受信することに少なくとも部分的に応答して、前記モバイルデバイス内の衛星測位システムの機能から電力を除去することをさらに備える、Ｃ２に記載の方法。
［Ｃ１７］
前記期待されるルートに沿って配置された１つまたは複数のワイヤレス送信機から１つまたは複数の暗号化されたブロードキャスト信号を受信することをさらに備える、Ｃ１に記載の方法。
［Ｃ１８］
ワイヤレス送信機の前記サブセットは、ワイヤレスローカルエリアネットワークのアクセスポイントのサブセットとワイヤレス広域ネットワーク送信機のサブセットとのうちの１つまたは複数を備える、Ｃ１に記載の方法。
［Ｃ１９］
記憶媒体を備え、前記記憶媒体は、
モバイルデバイスによってホスティングされるナビゲーションアプリケーションによって生成される情報に少なくとも部分的に基づいて、前記モバイルデバイスの期待されるルートを判定し、
前記モバイルデバイスの前記期待されるルートに少なくとも部分的に基づいて判定されるワイヤレス送信機のサブセットのアイデンティティ情報または位置情報の要求を備える１つまたは複数のメッセージの、前記モバイルデバイスからネットワークエンティティへの送信を開始する
ために前記モバイルデバイスのプロセッサによって実行可能な命令を格納し、ここにおいて、アイデンティティ情報または位置情報の前記要求は、前記モバイルデバイスの前記期待されるルートを示す情報を含む、物品。
［Ｃ２０］
前記記憶媒体は、前記モバイルデバイスの前記期待されるルートに少なくとも部分的に基づいて、前記ネットワークエンティティによって判定されるワイヤレス送信機の前記サブセットのアイデンティティ情報または位置情報の前記モバイルデバイスでの受信を開始するために前記モバイルデバイスの前記プロセッサによって実行可能なさらなる命令を格納する、Ｃ１９に記載の物品。
［Ｃ２１］
前記記憶媒体は、前記モバイルデバイスの前記期待されるルートに少なくとも部分的に基づいて前記ネットワークエンティティによって判定されるワイヤレス送信機の前記サブセットのアイデンティティ情報または位置情報を備える１つまたは複数のメッセージを格納するために前記モバイルデバイスの前記プロセッサによって実行可能なさらなる命令を格納する、Ｃ２０に記載の物品。
［Ｃ２２］
前記記憶媒体は、少なくとも部分的に、指定された最大送信サイズに収まるアイデンティティエントリまたは位置エントリを備える１つまたは複数のメッセージの受信を開始することによって、ワイヤレス送信機の前記サブセットのアイデンティティ情報または位置情報を示す１つまたは複数のメッセージの前記モバイルデバイスでの受信を開始するために前記モバイルデバイスの前記プロセッサによって実行可能なさらなる命令を格納する、Ｃ２０に記載の物品。
［Ｃ２３］
前記記憶媒体は、少なくとも部分的に、個々のワイヤレス送信機の前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレス送信機の前記サブセットのアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始するために前記モバイルデバイスの前記プロセッサによって実行可能なさらなる命令を格納する、Ｃ２０に記載の物品。
［Ｃ２４］
前記記憶媒体は、少なくとも部分的に、前記モバイルデバイスの前記期待されるルートへの個々のワイヤレス送信機の近接度に少なくとも部分的に基づいて前記ネットワークエンティティによって判定されるワイヤレス送信機の前記サブセットのアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始するために前記モバイルデバイスの前記プロセッサによって実行可能なさらなる命令を格納する、Ｃ２０に記載の物品。
［Ｃ２５］
前記記憶媒体は、少なくとも部分的に、前記モバイルデバイスが前記個々のワイヤレス送信機に関連する１つまたは複数のネットワークと通信するための１つまたは複数の認可に少なくとも部分的に基づいて前記ネットワークエンティティによって判定されるワイヤレス送信機の前記サブセットのアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始するために前記モバイルデバイスの前記プロセッサによって実行可能なさらなる命令を格納する、Ｃ２０に記載の物品。
［Ｃ２６］
前記記憶媒体は、少なくとも部分的に、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットのアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始するために前記モバイルデバイスの前記プロセッサによって実行可能なさらなる命令を格納する、Ｃ２０に記載の物品。
［Ｃ２７］
前記記憶媒体は、限られた通信カバレージを有すると判定される前記モバイルデバイスの前記期待されるルートに沿った１つまたは複数の領域に対応する地図情報の受信を開始するために前記モバイルデバイスの前記プロセッサによって実行可能なさらなる命令を格納する、Ｃ２０に記載の物品。
［Ｃ２８］
前記記憶媒体は、少なくとも部分的に、前記モバイルデバイスがネットワーク通信リソースのレンジ内にある間に、限られた通信カバレージを有すると判定される前記１つまたは複数の領域に前記モバイルデバイスが入る前に地図情報の前記受信を開始することによって、限られた通信カバレージを有すると判定される前記モバイルデバイスの前記期待されるルートに沿った前記１つまたは複数の領域に対応する地図情報の前記受信を開始するために前記モバイルデバイスの前記プロセッサによって実行可能なさらなる命令を格納する、Ｃ２７に記載の物品。
［Ｃ２９］
前記記憶媒体は、
前記モバイルデバイスが相対的に強い信号をそこから獲得でき、前記モバイルデバイスがそれとの通信を確立できる１つまたは複数のワイヤレス送信機のアイデンティティ情報または位置情報を備える１つまたは複数のメッセージの前記ネットワークエンティティからの受信を開始し、
前記モバイルデバイスが前記期待されるルートに沿って移動する時に前記モバイルデバイスが前記１つまたは複数のワイヤレス送信機の個々のワイヤレス送信機のカバレージエリアに接近することに応答して前記個々のワイヤレス送信機との通信を確立する
ために前記モバイルデバイスの前記プロセッサによって実行可能なさらなる命令を格納する、Ｃ１９に記載の物品。
［Ｃ３０］
前記記憶媒体は、少なくとも部分的に、１つまたは複数の領域に従って分割されたワイヤレス送信機の前記サブセットのアイデンティティ情報または位置情報の前記要求の送信を開始することによって、前記ネットワークエンティティへの１つまたは複数のメッセージの前記送信を開始するために前記モバイルデバイスの前記プロセッサによって実行可能なさらなる命令を格納し、ここにおいて、前記１つまたは複数の領域は、複数のチャンクに個別に分割される、Ｃ２０に記載の物品。
［Ｃ３１］
前記１つまたは複数の領域は円形の区域を備え、ここにおいて、前記複数のチャンクは、１つまたは複数のパイスライス区域と円形の中心区域とを備える、Ｃ３０に記載の物品。
［Ｃ３２］
前記記憶媒体は、少なくとも部分的に、前記期待されるルートによって横切られる前記１つまたは複数の領域の前記複数のチャンクのうちの１つまたは複数を判定することによって、前記１つまたは複数の領域に従って分割されたワイヤレス送信機の前記サブセットのアイデンティティ情報または位置情報の前記要求を備える１つまたは複数のメッセージの前記送信を開始するために前記モバイルデバイスの前記プロセッサによって実行可能なさらなる命令を格納する、Ｃ３１に記載の物品。
［Ｃ３３］
前記記憶媒体は、前記期待されるルートに沿った１つまたは複数のチェックポイントを判定するために前記モバイルデバイスの前記プロセッサによって実行可能なさらなる命令を格納し、前記１つまたは複数のチェックポイントは、前記期待されるルートを複数のセグメントに分割し、前記１つまたは複数のチェックポイントは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信するように前記モバイルデバイスに指示する、Ｃ３２に記載の物品。
［Ｃ３４］
前記記憶媒体は、前記期待されるルートに沿って配置されたワイヤレス送信機を使用してナビゲーション動作を実行することを可能にするのに十分なワイヤレス送信機のサブセットのアイデンティティ情報または位置情報を備える１つまたは複数のメッセージを前記ネットワークエンティティから受信することに少なくとも部分的に応答して、前記モバイルデバイス内の衛星測位システムの機能から電力を除去するために前記モバイルデバイスの前記プロセッサによって実行可能なさらなる命令を格納する、Ｃ２０に記載の物品。
［Ｃ３５］
前記記憶媒体は、前記期待されるルートに沿って配置された１つまたは複数のワイヤレス送信機からの１つまたは複数の暗号化されたブロードキャスト信号の受信を開始するために前記モバイルデバイスの前記プロセッサによって実行可能なさらなる命令を格納する、Ｃ１９に記載の物品。
［Ｃ３６］
モバイルデバイスによってホスティングされるナビゲーションアプリケーションによって生成された情報に少なくとも部分的に基づいて、前記モバイルデバイスの期待されるルートを判定するプロセッサを備え、前記プロセッサは、さらに、１つまたは複数のメッセージの前記モバイルデバイスの通信インターフェースからネットワークエンティティへの送信を開始し、ここにおいて、前記１つまたは複数のメッセージは、前記モバイルデバイスの前記期待されるルートに少なくとも部分的に基づいて判定されるワイヤレス送信機のサブセットのアイデンティティ情報または位置情報の要求を備え、ここにおいて、アイデンティティ情報または位置情報の前記要求は、前記モバイルデバイスの前記期待されるルートを示す情報を含む、
モバイルデバイス。
［Ｃ３７］
前記プロセッサは、さらに、前記モバイルデバイスの前記期待されるルートに少なくとも部分的に基づいて、前記ネットワークエンティティによって判定されるワイヤレス送信機の前記サブセットのアイデンティティ情報または位置情報を備える１つまたは複数のメッセージの、前記モバイルデバイスでの前記ネットワークエンティティからの受信を開始する、Ｃ３６に記載のモバイルデバイス。
［Ｃ３８］
前記ネットワークエンティティによって判定されるワイヤレス送信機の前記サブセットの前記アイデンティティ情報または位置情報を示す１つまたは複数の信号を格納するメモリをさらに備える、Ｃ３７に記載のモバイルデバイス。
［Ｃ３９］
前記プロセッサは、少なくとも部分的に、指定された最大送信サイズに収まるアイデンティティエントリまたは位置エントリを備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始する、Ｃ３７に記載のモバイルデバイス。
［Ｃ４０］
前記プロセッサは、少なくとも部分的に、個々のワイヤレス送信機に関する前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレス送信機の前記サブセットに関するアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始する、Ｃ３７に記載のモバイルデバイス。
［Ｃ４１］
前記プロセッサは、少なくとも部分的に、前記モバイルデバイスの前記期待されるルートへの個々のワイヤレス送信機の近接度に少なくとも部分的に基づいて前記ネットワークエンティティによって判定されるワイヤレス送信機の前記サブセットのアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始する、Ｃ３７に記載のモバイルデバイス。
［Ｃ４２］
前記プロセッサは、少なくとも部分的に、個々のワイヤレス送信機に関連する１つまたは複数のネットワークと前記モバイルデバイスが通信するための１つまたは複数の認可に少なくとも部分的に基づいて前記ネットワークエンティティによって判定されるワイヤレス送信機の前記サブセットのアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始する、Ｃ３７に記載のモバイルデバイス。
［Ｃ４３］
前記プロセッサは、少なくとも部分的に、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットのアイデンティティ情報または位置情報を備える１つまたは複数のメッセージの受信を開始することによって、ワイヤレス送信機の前記サブセットのアイデンティティ情報または位置情報を備える１つまたは複数のメッセージの前記ネットワークエンティティからの受信を開始する、Ｃ３７に記載のモバイルデバイス。
［Ｃ４４］
前記プロセッサは、減少した通信カバレージを有すると判定される前記モバイルデバイスの前記期待されるルートに沿った１つまたは複数の領域に対応する地図情報の受信をさらに開始する、Ｃ３７に記載のモバイルデバイス。
［Ｃ４５］
前記プロセッサは、少なくとも部分的に、前記モバイルデバイスがネットワーク通信リソースのレンジ内にある間に、減少した通信カバレージを有すると判定される前記１つまたは複数の領域に前記モバイルデバイスが入る前に、地図情報を備える１つまたは複数のメッセージを受信することによって、減少した通信カバレージを有すると判定される前記モバイルデバイスの前記期待されるルートに沿った前記１つまたは複数の領域に対応する地図情報の受信をさらに開始する、Ｃ４４に記載のモバイルデバイス。
［Ｃ４６］
前記プロセッサは、さらに、
前記モバイルデバイスが相対的に強い信号をそこから獲得でき、前記モバイルデバイスがそれとの通信を確立できる１つまたは複数のワイヤレス送信機のアイデンティティ情報または位置情報を備える１つまたは複数のメッセージを、前記モバイルデバイスの前記通信インターフェースで前記ネットワークエンティティから受信することを開始し、
前記モバイルデバイスが前記期待されるルートに沿って移動する時に前記モバイルデバイスが前記１つまたは複数のワイヤレス送信機の個々のワイヤレス送信機のカバレージエリアに接近することに応答して、前記個々のワイヤレス送信機との通信を確立する
Ｃ３６に記載のモバイルデバイス。
［Ｃ４７］
前記プロセッサは、少なくとも部分的に、１つまたは複数の領域に従って分割されたワイヤレス送信機の前記サブセットのアイデンティティ情報または位置情報の要求を備える１つまたは複数のメッセージの送信を開始することによって、ワイヤレス送信機の前記サブセットのアイデンティティ情報または位置情報の要求を備える１つまたは複数のメッセージの送信を開始し、ここにおいて、前記１つまたは複数の領域は、複数のチャンクに個別に分割される、Ｃ３６に記載のモバイルデバイス。
［Ｃ４８］
前記１つまたは複数の領域は円形の区域を備え、ここにおいて、前記複数のチャンクは、１つまたは複数のパイスライス区域と円形の中心区域とを備える、Ｃ４７に記載のモバイルデバイス。
［Ｃ４９］
前記プロセッサは、少なくとも部分的に、前記期待されるルートによって横切られる前記１つまたは複数の領域の前記複数のチャンクのうちの１つまたは複数を判定することによって、前記１つまたは複数の領域に従って分割されたワイヤレス送信機の前記サブセットのアイデンティティ情報または位置情報の前記要求を備える前記１つまたは複数のメッセージの送信を開始する、Ｃ４８に記載のモバイルデバイス。
［Ｃ５０］
前記プロセッサは、さらに、前記期待されるルートに沿った１つまたは複数のチェックポイントを判定し、前記１つまたは複数のチェックポイントは、前記期待されるルートを複数のセグメントに分割し、前記１つまたは複数のチェックポイントは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信するように前記モバイルデバイスに指示する、Ｃ４９に記載のモバイルデバイス。
［Ｃ５１］
前記プロセッサは、さらに、前記期待されるルートに沿って配置されたワイヤレス送信機を使用してナビゲーション動作を実行することを可能にするのに十分なワイヤレス送信機のサブセットのアイデンティティ情報または位置情報を受信することに少なくとも部分的に応答して、前記モバイルデバイス内の衛星測位システムの機能からの電力の除去を開始する、Ｃ３７に記載のモバイルデバイス。
［Ｃ５２］
前記プロセッサは、さらに、前記期待されるルートに沿って配置された１つまたは複数のワイヤレス送信機からの１つまたは複数の暗号化されたブロードキャスト信号の受信を開始する、Ｃ３６に記載のモバイルデバイス。
［Ｃ５３］
モバイルデバイスによってホスティングされるナビゲーションアプリケーションによって生成された情報に少なくとも部分的に基づいて、前記モバイルデバイスの期待されるルートを判定するための手段と、
１つまたは複数のメッセージをネットワークエンティティに送信するための手段であって、ここにおいて、前記１つまたは複数のメッセージは、前記モバイルデバイスの前記期待されるルートに少なくとも部分的に基づいて判定されるワイヤレス送信機のサブセットのアイデンティティ情報または位置情報の要求を備え、ここにおいて、アイデンティティ情報または位置情報の前記要求は、前記モバイルデバイスの前記期待されるルートを示す情報を含む、送信するための手段と
を備える装置。
［Ｃ５４］
前記モバイルデバイスの前記期待されるルートに少なくとも部分的に基づいて、前記ネットワークエンティティによって判定されるワイヤレス送信機の前記サブセットのアイデンティティ情報または位置情報を備える１つまたは複数のメッセージを前記ネットワークエンティティから受信するための手段
をさらに備える、Ｃ５３に記載の装置。
［Ｃ５５］
前記ネットワークエンティティによって判定されるワイヤレス送信機の前記サブセットの前記アイデンティティ情報または位置情報を示す１つまたは複数の信号を格納するための手段をさらに備える、Ｃ５４に記載の装置。
［Ｃ５６］
ワイヤレス送信機の前記サブセットのアイデンティティ情報または位置情報を備える前記１つまたは複数のメッセージを前記ネットワークエンティティから受信するための前記手段は、指定された最大送信サイズに収まるアイデンティティエントリまたは位置エントリを備える１つまたは複数のメッセージを受信するための手段を備える、Ｃ５４に記載の装置。
［Ｃ５７］
ワイヤレス送信機の前記サブセットのアイデンティティ情報または位置情報を備える１つまたは複数のメッセージを前記ネットワークエンティティから受信するための前記手段は、個々のワイヤレス送信機に関する前記期待されるルートに関連するカバレージエリアと、前記期待されるルートに沿って移動するモバイルデバイスの個々のワイヤレス送信機のヒストリカルな観察周波数とのうちの１つまたは複数に少なくとも部分的に基づいて前記ネットワークエンティティによって判定されるワイヤレス送信機の前記サブセットに関するアイデンティティ情報または位置情報を備える１つまたは複数のメッセージを受信するための手段を備える、Ｃ５４に記載の装置。
［Ｃ５８］
ワイヤレス送信機の前記サブセットのアイデンティティ情報または位置情報を備える前記１つまたは複数のメッセージを前記ネットワークエンティティから受信するための前記手段は、前記モバイルデバイスの前記期待されるルートへの個々のワイヤレス送信機の近接度に少なくとも部分的に基づいて前記ネットワークエンティティによって判定されるワイヤレス送信機の前記サブセットのアイデンティティ情報または位置情報を備える１つまたは複数のメッセージを受信するための手段を備える、Ｃ５４に記載の装置。
［Ｃ５９］
ワイヤレス送信機の前記サブセットのアイデンティティ情報または位置情報を備える１つまたは複数のメッセージを前記ネットワークエンティティから受信するための前記手段は、個々のワイヤレス送信機に関連する１つまたは複数のネットワークと前記モバイルデバイスが通信するための１つまたは複数の認可に少なくとも部分的に基づいて前記ネットワークエンティティによって判定されるワイヤレス送信機の前記サブセットのアイデンティティ情報または位置情報を備える１つまたは複数のメッセージを受信するための手段を備える、Ｃ５４に記載の装置。
［Ｃ６０］
ワイヤレス送信機の前記サブセットのアイデンティティ情報または位置情報を備える１つまたは複数のメッセージをネットワークエンティティから受信するための前記手段は、ユーザによって選択された前記モバイルデバイスの計画されたルートを示す前記モバイルデバイスによってホスティングされる前記ナビゲーションアプリケーションによって生成された情報に少なくとも部分的に基づいて前記ネットワークエンティティによって判定されるワイヤレス送信機の前記サブセットのアイデンティティ情報または位置情報を備える１つまたは複数のメッセージを受信するための手段を備える、Ｃ５４に記載の装置。
［Ｃ６１］
減少した通信カバレージを有すると判定される前記モバイルデバイスの前記期待されるルートに沿った１つまたは複数の領域に対応する地図情報を備える１つまたは複数のメッセージを受信するための手段をさらに備える、Ｃ５４に記載の装置。
［Ｃ６２］
限られた通信カバレージを有すると判定される前記モバイルデバイスの前記期待されるルートに沿った前記１つまたは複数の領域に対応する地図情報を受信するための前記手段は、前記モバイルデバイスがネットワーク通信リソースのレンジ内にある間に、減少した通信カバレージを有すると判定される前記１つまたは複数の領域に前記モバイルデバイスが入る前に地図情報を受信するための手段を備える、Ｃ６１に記載の装置。
［Ｃ６３］
前記モバイルデバイスが相対的に強い信号をそこから獲得でき、前記モバイルデバイスがそれとの通信を確立できる１つまたは複数のワイヤレス送信機のアイデンティティ情報または位置情報を備える１つまたは複数のメッセージを、前記モバイルデバイスの通信インターフェースで前記ネットワークエンティティから受信するための手段と、
前記モバイルデバイスが前記期待されるルートに沿って移動する時に前記モバイルデバイスが前記１つまたは複数のワイヤレス送信機の個々のワイヤレス送信機のカバレージエリアに接近することに応答して、前記個々のワイヤレス送信機との通信を確立するための手段と
をさらに備える、Ｃ５４に記載の装置。
［Ｃ６４］
前記ネットワークエンティティに前記１つまたは複数のメッセージを送信するための前記手段は、１つまたは複数の領域に従って分割されたワイヤレス送信機の前記サブセットの前記アイデンティティ情報または位置情報の前記要求を送信するための手段を備え、ここにおいて、前記１つまたは複数の領域は、複数のチャンクに個別に分割される、Ｃ５４に記載の装置。
［Ｃ６５］
前記１つまたは複数の領域は円形の区域を備え、ここにおいて、前記複数のチャンクは、１つまたは複数のパイスライス区域と円形の中心区域とを備える、Ｃ６４に記載の装置。
［Ｃ６６］
前記１つまたは複数の領域に従って分割されたワイヤレス送信機の前記サブセットのアイデンティティ情報または位置情報の前記要求を備える前記１つまたは複数のメッセージを送信するための前記手段は、前記期待されるルートによって横切られる前記１つまたは複数の領域の前記複数のチャンクのうちの１つまたは複数を判定するための手段をさらに備える、Ｃ６５に記載の装置。
［Ｃ６７］
前記期待されるルートに沿った１つまたは複数のチェックポイントを判定するための手段をさらに備え、判定される１つまたは複数のチェックポイントは、前記期待されるルートを複数のセグメントに分割し、前記判定される１つまたは複数のチェックポイントは、前記期待されるルートの次のセグメントによって横切られる前記１つまたは複数の領域の１つまたは複数のチャンクのワイヤレス送信機アイデンティティ情報またはワイヤレス送信機位置情報の次のセットに関する追加の要求を送信するように前記モバイルデバイスに指示する、Ｃ６６に記載の装置。
［Ｃ６８］
前記期待されるルートに沿って配置されたワイヤレス送信機を使用してナビゲーション動作を実行することを可能にするのに十分なワイヤレス送信機のサブセットのアイデンティティ情報または位置情報を備える１つまたは複数のメッセージを前記ネットワークエンティティから受信することに少なくとも部分的に応答して、前記モバイルデバイス内の衛星測位システムの機能から電力を除去するための手段をさらに備える、Ｃ５４に記載の装置。
［Ｃ６９］
前記期待されるルートに沿って配置された１つまたは複数のワイヤレス送信機から１つまたは複数の暗号化されたブロードキャスト信号を受信するための手段をさらに備える、Ｃ５３に記載の装置。